【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータと前記ビデオデータを復号するためのシンタックス情報とを含むビットストリームを復号することと、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記アクティブパラメータセットＳＥＩメッセージは、前記アクティブパラメータセットＳＥＩメッセージと前記ビデオデータとを備えるアクセスユニットの第１のＳＥＩネットワークアブストラクションレイヤユニットにおける第１のＳＥＩメッセージである、
前記アクティブパラメータセットＳＥＩメッセージにおける前記１つまたは複数のＳＰＳおよび前記ＶＰＳの指示に基づいて、前記ビデオデータを復号するために前記１つまたは複数のＳＰＳと前記ＶＰＳとをアクティブ化することと、
前記１つまたは複数のアクティブ化されたＳＰＳおよび前記アクティブ化されたＶＰＳに基づいて、前記ビデオデータを復号することとを備える方法。
【請求項２】
前記アクティブパラメータセットＳＥＩメッセージは複数のＳＰＳを示し、前記１つまたは複数のＳＰＳをアクティブ化することは、前記アクティブパラメータセットＳＥＩメッセージにおける前記複数のＳＰＳの前記指示に基づいて、前記複数のＳＰＳをアクティブ化することを備え、前記１つまたは複数のアクティブ化されたＳＰＳに基づいて、前記ビデオデータを復号することは、前記複数のアクティブ化されたＳＰＳに基づいて、前記ビデオデータを復号することを備える、請求項１に記載の方法。
【請求項３】
前記アクティブパラメータセットＳＥＩメッセージにおける前記１つまたは複数のＳＰＳおよび前記ＶＰＳの前記指示に基づいて、前記ビデオデータを復号するために前記１つまたは複数のＳＰＳと前記ＶＰＳとをアクティブ化することは、
前記アクティブパラメータセットＳＥＩメッセージにおける前記指示に基づいて、前記１つまたは複数のＳＰＳおよび前記ＶＰＳに関するローバイトシーケンスペイロード（ＲＢＳＰ）を識別することと、
前記ＲＢＳＰをそれぞれのビデオデコーダデータ構造にコピーすることとを備え、
前記１つまたは複数のアクティブ化されたＳＰＳおよび前記アクティブ化されたＶＰＳに基づいて、前記ビデオデータを復号することは、前記ビデオデコーダデータ構造における前記ＲＢＳＰに基づいて、前記ビデオデータを復号することを備える、請求項１に記載の方法。
【請求項４】
ビデオデータを符号化する方法であって、
ビデオデータと前記ビデオデータを復号するためのシンタックス情報とを含むビットストリームを符号化することと、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記ビットストリームを符号化することは、前記アクティブパラメータセットＳＥＩメッセージが、前記ビデオデータと前記アクティブパラメータセットＳＥＩメッセージとを備えるアクセスユニットの第１のＳＥＩネットワークアブストラクションレイヤユニットにおける第１のＳＥＩメッセージとなるように、前記ビットストリームを符号化することを備える、
前記アクティブパラメータセットＳＥＩメッセージで示される前記１つまたは複数のＳＰＳおよび前記ＶＰＳに基づいて、前記ビデオデータを符号化することとを備え、
前記アクティブパラメータセットＳＥＩメッセージを含むように前記ビットストリームを符号化することは、ビデオデコーダが前記アクティブパラメータセットＳＥＩメッセージにおける前記１つまたは複数のＳＰＳおよび前記ＶＰＳの指示に応答して前記ビデオデータを復号するために前記１つまたは複数のＳＰＳと前記ＶＰＳとをアクティブ化するように、前記ビットストリームを符号化することを備える、方法。
【請求項５】
前記アクティブパラメータセットＳＥＩメッセージは複数のＳＰＳを示し、前記１つまたは複数のＳＰＳに基づいて、前記ビデオデータを符号化することは、前記複数のＳＰＳに基づいて、前記ビデオデータを符号化することを備え、前記ビデオデコーダが前記１つまたは複数のＳＰＳと前記ＶＰＳとをアクティブ化するように、前記ビットストリームを符号化することは、ビデオデコーダが前記アクティブパラメータセットＳＥＩメッセージにおける前記複数のＳＰＳおよび前記ＶＰＳの前記指示に応答して前記複数のＳＰＳと前記ＶＰＳとをアクティブ化するように、前記ビットストリームを符号化することを備える、請求項４に記載の方法。
【請求項６】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータをコーディングすることは、前記レイヤまたはビューの各々に関して、前記レイヤまたはビューに関連する前記ＳＰＳに基づいて、前記レイヤまたはビューの前記ビデオデータをコーディングすることを備える、請求項２または５に記載の方法。
【請求項７】
前記アクティブパラメータセットＳＥＩメッセージは、前記複数のＳＰＳの第１のＳＰＳを示す第１のシンタックス要素と、前記アクティブパラメータセットＳＥＩメッセージで示される追加ＳＰＳの数を指定する第２のシンタックス要素と、前記追加ＳＰＳをそれぞれ示す１つまたは複数の追加シンタックス要素とを含み、前記第１のシンタックス要素は、ａｃｔｉｖｅ＿ｓｅｑ＿ｐａｒａｍ＿ｓｅｔ＿ｉｄシンタックス要素を備えることが好ましく、前記第２のシンタックス要素は、ｎｕｍ＿ａｄｄｉｔｉｏｎａｌ＿ｓｐｓ＿ｉｄｓ＿ｍｉｎｕｓ１シンタックス要素を備えることが好ましく、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備えることが好ましい、請求項１または４に記載の方法。
【請求項８】
前記アクティブパラメータセットＳＥＩメッセージは、前記複数のＳＰＳの数を指定する第１のシンタックス要素と、前記複数のＳＰＳをそれぞれ示す１つまたは複数の追加シンタックス要素とを含む、請求項１または４に記載の方法。
【請求項９】
前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、請求項８に記載の方法。
【請求項１０】
前記シンタックス情報はバッファリング期間ＳＥＩメッセージをさらに備え、前記方法は、前記１つまたは複数のＳＰＳの指示を除外するように、前記バッファリング期間ＳＥＩメッセージをコーディングすることをさらに備える、請求項１または４に記載の方法。
【請求項１１】
前記ビットストリームは複数のアクセスユニットと複数のアクティブパラメータセットＳＥＩメッセージとを備え、前記ビットストリームをコーディングすることは、バッファリング期間ＳＥＩメッセージを含む前記アクセスユニットの各々が、前記アクティブパラメータセットＳＥＩメッセージのうちの１つも含むように、前記ビットストリームをコーディングすることを備える、請求項１または４に記載の方法。
【請求項１２】
前記ビットストリームをコーディングすることは、前記アクティブパラメータセットＳＥＩメッセージが、コーディング順序で前記ビデオデータと前記アクティブパラメータセットＳＥＩメッセージとを備えるアクセスユニットのビデオデータの第１の部分に先行するように、前記ビットストリームを符号化することを備える、請求項１または４に記載の方法。
【請求項１３】
ビデオエンコーダを備えるデバイスであって、前記ビデオエンコーダは、
ビデオデータと前記ビデオデータを復号するためのシンタックス情報とを含むビットストリームを符号化し、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記ビデオエンコーダは、前記アクティブパラメータセットＳＥＩメッセージが、前記ビデオデータと前記アクティブパラメータセットＳＥＩメッセージとを備えるアクセスユニットの第１のＳＥＩネットワークアブストラクションレイヤユニットにおける第１のＳＥＩメッセージとなるように、前記ビットストリームを符号化するように構成される、
前記アクティブパラメータセットＳＥＩメッセージで示される前記１つまたは複数のＳＰＳおよび前記ＶＰＳに基づいて、前記ビデオデータを符号化するように構成され、
前記ビデオエンコーダは、ビデオデコーダが前記アクティブパラメータセットＳＥＩメッセージにおける前記１つまたは複数のＳＰＳおよび前記ＶＰＳの指示に応答して前記ビデオデータを復号するために前記１つまたは複数のＳＰＳと前記ＶＰＳとをアクティブ化するように、前記アクティブパラメータセットＳＥＩメッセージを含むように前記ビットストリームを符号化する、デバイス。
【請求項１４】
ビデオデータをコーディングするためのデバイスであって、
ビデオデータと前記ビデオデータを復号するためのシンタックス情報とを含むビットストリームをコーディングするための手段と、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記アクティブパラメータセットＳＥＩメッセージは、前記ビデオデータと前記アクティブパラメータセットＳＥＩメッセージとを備えるアクセスユニットの第１のＳＥＩネットワークアブストラクションレイヤユニットにおける第１のＳＥＩメッセージである、
前記アクティブパラメータセットＳＥＩメッセージにおける前記１つまたは複数のＳＰＳおよび前記ＶＰＳの指示に基づいて、前記ビデオデータをコーディングするために前記１つまたは複数のＳＰＳと前記ＶＰＳとをアクティブ化するための手段と、
前記１つまたは複数のアクティブ化されたＳＰＳおよび前記アクティブ化されたＶＰＳに基づいて、前記ビデオデータをコーディングするための手段とを備えるデバイス。
【請求項１５】
命令を記憶したコンピュータ可読記憶媒体であって、前記命令は、ビデオコーダの１つまたは複数のプロセッサによって実行されたときに、前記ビデオコーダに、請求項１乃至１２のうちのいずれか１項に記載の方法を実行させる、コンピュータ可読記憶媒体。